(57)【要約】      （修正有）【課題】歯を洗浄清潔にする効果が得られ、歯の美白や輝きの効果が実現される歯ブラシ構造を提供する。【解決手段】歯ブラシヘッド１０は、第一面１１と第二面１２があり、歯ブラシヘッド１０の第一面１１に、熱可塑性ゴムブラシ部２０が、一体成型されるか粘着され、歯ブラシヘッド１０の第二面１２に、発泡ゴムブラシ部３０が、一体成型されるか粘着され、熱可塑性ゴムブラシ部２０は、複数の行列になるように、先端突出ブロック２１に、複数の平らブラシ条２２が配置され、発泡ゴムブラシ部３０は、一行に、先端突出した複数の条状ブラシ条３１が形成され、歯ブラシヘッド１０は、電動や手動歯ブラシに適用でき、平らブラシ条２２により、歯を磨く時、歯に接触する面積が大きくなり、歯を洗浄清潔でき、発泡ゴムブラシ部３０の条状ブラシ条３１により、その発泡ゴムの軟質特性に合わせて、歯の美白や輝きの清潔効果が実現される。【選択図】図１
0003196637.tif 000002
【実用新案登録請求の範囲】
【請求項１】
歯ブラシヘッドがある歯ブラシ構造であって、
上記歯ブラシヘッドに、第一面と第二面とが設けられ、上記第一面に、熱可塑性ゴム(TPR, Thermo Plastic Rubber)ブラシ部が、一体成型されるか粘着され、上記第二面に、発泡ゴムブラシ部が、一体成型されるか粘着され、上記熱可塑性ゴムブラシ部は、複数の行列になるように、先端突出ブロックに、複数の平らブラシ条が配置され、また、二つの平らブラシ条の間に、凹溝が設けられ、上記凹溝により、各平らブラシ条が、より弾性的になり、上記発泡ゴムブラシ部は、一行に、先端突出した複数の条状ブラシ条が形成され、上記発泡ゴムブラシ部が、発泡成型により、複数の孔隙が形成され、上記孔隙により、上記発泡ゴムブラシ部が、柔軟性を有し、また、二つの条状ブラシ条の間に、凹み槽が形成されることにより、上記条状ブラシ条が、歯の隙間までに、より深く入ることができることを特徴とする歯ブラシ構造。
【請求項２】
上記歯ブラシヘッドは、電動歯ブラシに適用されることを特徴とする請求項１に記載の歯ブラシ構造。
【請求項３】
上記歯ブラシヘッドは、手動歯ブラシに適用されることを特徴とする請求項１に記載の歯ブラシ構造。
【考案の詳細な説明】
【技術分野】
【０００１】
本考案は、歯ブラシに関し、特に、その歯ブラシヘッドの両面に、それぞれ、熱可塑性ゴムブラシ部や発泡ゴムブラシ部が設けられる歯ブラシ構造に関する。
【背景技術】
【０００２】
既存の歯ブラシは、ブラッシング式の歯ブラシであり、ブラッシング式の歯ブラシは、その接触面積が小さいため、清潔効果がよくなく、また、その接触面積が小さいため、歯の美白効果が得られなく、更に、従来の歯ブラシは、一面だけに、ブラッシングが形成されるため、異なる形式のブラッシングを選択できず、そのため、従来の歯ブラシの適用範囲が制限されて、実用的とはいえない。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案の目的は、その歯ブラシヘッドの両面に、それぞれ、熱可塑性ゴムブラシ部や発泡ゴムブラシ部が形成され、熱可塑性膠ブラシ部により、洗浄清潔が行われ、発泡ゴムブラシ部により、歯の美白や輝きが実現される歯ブラシ構造を提供する。
【課題を解決するための手段】
【０００５】
本考案は、上記の目的を達成するための歯ブラシ構造であり、歯ブラシヘッドを有し、上記歯ブラシヘッドは、第一面と第二面があり、歯ブラシヘッドの第一面に、熱可塑性ゴム(TPR, Thermo Plastic Rubber)ブラシ部が、一体成型されるか粘着され、歯ブラシヘッドの第二面に、発泡ゴムブラシ部が、一体成型されるか粘着され、熱可塑性ゴムブラシ部は、複数の行列になるように、先端突出ブロックに、複数の平らブラシ条が配置され、発泡ゴムブラシ部は、一行に、先端突出した複数の条状ブラシ条が形成され、歯ブラシヘッドは、電動や手動歯ブラシに実装され、これにより、平らブラシ条が、歯に接触した面積が大きくなり、歯を洗浄清潔にする効果が得られ、発泡ゴムブラシ部の条状ブラシ条により、その発泡ゴムの軟質特性に合わせて、歯の美白や輝きの清潔効果が実現される。
【０００６】
本考案に係る歯ブラシ構造は、熱可塑性ゴムブラシ部に、複数の平らブラシ条が設けられ、二つの平らブラシ条の間に、凹溝が形成され、その凹溝により、各平らブラシ条が、より弾性的になり、より優れた性能が得られ、そのため、より有効的に、歯垢が除去され、清潔や洗浄の効果が得られる。
【０００７】
本考案に係る歯ブラシ構造は、発泡ゴムブラシ部に、発泡成型される時、複数の孔隙が形成され、孔隙により、発泡ゴムブラシ部が、より優れた柔軟性が得られ、また、その二つの条状ブラシ条の間に、凹み槽が形成され、孔隙による柔軟性によって、歯を磨く時、歯に密着する面積が大きくなり、また、凹み槽により、条状ブラシ条が、より深く、歯の隙間に入ることができ、そのため、より有効的に、歯を清潔することができ、更に、美白や輝きの効果が得られる。
【０００８】
以下、図面を参照しながら、本考案の特徴や技術内容について、詳しく説明するが、それらの図面等は、参考や説明のためであり、本考案は、それによって制限されることが無い。
【考案を実施するための最良の形態】
【０００９】
図１乃至図５を参照しながら、本考案に係る歯ブラシ構造は、歯ブラシヘッド10を有し、上記歯ブラシヘッド10は、第一面11と第二面12があり、歯ブラシヘッド10の第一面11に、熱可塑性ゴム(TPR, Thermo Plastic Rubber)ブラシ部20が一体成型されるか粘着され、歯ブラシヘッド10の第二面12に、発泡ゴムブラシ部30が一体成型されるか粘着され、熱可塑性ゴムブラシ部20は、複数の行列になるように、先端突出ブロック21に、複数の平らブラシ条22が配置され、また、発泡ゴムブラシ部30は、一行に、先端突出した複数の条状ブラシ条31が形成され、歯ブラシヘッド10が、電動歯ブラシ40や手動歯ブラシ50に実装され、熱可塑性ゴムブラシ部20の平らブラシ条22により、歯を磨く時、歯に接触する面積が大きくなり、歯を洗浄清潔でき、また、先端突出ブロック21により、歯の隙間を清潔でき、また、発泡ゴムブラシ部30の条状ブラシ条31により、その発泡ゴムの軟質特性に合わせて、歯の美白や輝きの清潔効果が得られる。
【００１０】
上記熱可塑性ゴムブラシ部20に、複数の平らブラシ条22が設けられ、二つの平らブラシ条22の間に、凹溝23が形成され、その凹溝23により、各平らブラシ条22が、より弾性的になり、そのため、より優れ性能が実現され、そのため、有効的に、歯垢が除去されて、清潔や洗浄の効果が得られる。
【００１１】
上記発泡ゴムブラシ部30は、発泡成型の時、複数の的孔隙32が形成され、孔隙32により、発泡ゴムブラシ部30が、より優れた柔軟性が得られ、また、その二つの条状ブラシ条31の間に、凹み槽33が形成され、孔隙32の柔軟性により、歯を磨く時、歯に密着する面積が大きくなり、凹み槽33により、条状ブラシ条31が、より深く、歯の隙間に入り、より有効的に、歯を清潔でき、また、美白や輝きの効果が得られる。
【００１２】
そのため、本考案は、より進歩的かつより実用的で、法に従って実用新案登録請求を出願する。
【００１３】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１４】
【図１】本考案に係る実施例の裏面立体図
【図２】本考案に係る実施例の正面立体図
【図３】本考案に係る実施例の側面平面図
【図４】本考案を電動歯ブラシに適用する時の立体図
【図５】本考案を手動歯ブラシに適用する時の立体図
【符号の説明】
【００１５】
10  歯ブラシヘッド
11  第一面
12  第二面
20  熱可塑性ゴムブラシ部
21  先端突出ブロック
22  平らブラシ条
23  凹溝
30  発泡ゴムブラシ部
31  条状ブラシ条
32  孔隙
33  凹み槽
40  電動歯ブラシ
50  手動歯ブラシ
【図１】
0003196637.tif 000003
【図２】
0003196637.tif 000004
【図３】
0003196637.tif 000005
【図４】
0003196637.tif 000006
【図５】
0003196637.tif 000007